(57)【要約】【課題】検査対象がパターンドメディアであっても、媒体上の突起物を正しく検出することを課題とする。【解決手段】（Ａ）が、媒体と対向する側の平面図、（Ｂ）が側面図、（Ｃ）が正面図である。図２の（Ａ）に示すように、スライダ１０は、浮上用レール１１と、浮上用レール１２とを備える。スライダ１０は、浮上時、図２の矢印が示す方向の空気流を受ける。浮上用レール１１および浮上用レール１２の空気流出端側は、空気流に対して傾きをもつ。傾きの程度は、具体的には、３０〜６０度であることが望ましい。さらに、図２の（Ｂ）や（Ｃ）に示すように、浮上用レール１１および浮上用レール１２は、点１３や点１４で厚さが最大となるように、内側が突き出る構造をもつ。【選択図】        図２
2010055727.tif 000002
【特許請求の範囲】
【請求項１】
記憶媒体の回転により発生する空気流で浮上するスライダを有し、前記記憶媒体と前記スライダとの接触を検出するグライドヘッドであって、
前記スライダは、後端がくさび状で、前記記憶媒体に対向する面の隅のうち角度が鈍角である隅で厚さが最大となる浮上用レールを備えることを特徴とするグライドヘッド。
【請求項２】
記憶媒体の回転により発生する空気流で浮上するスライダを有し、前記記憶媒体と前記スライダとの接触を検出するグライドヘッドであって、
前記スライダが備える第１の浮上用レールおよび第２の浮上用レールは、前記スライダの中心に対して対称に配置され、先端間の距離と、後端間との距離が異なり、前記記憶媒体に対向する面の隅のうち最後端の隅の次に後端側となる隅で厚さが最大となることを特徴とするグライドヘッド。
【請求項３】
前記第１の浮上用レールと前記第２の浮上用レールとの間の溝の深さが、空気流入端から空気流出端に向かって大きくなり、かつ、前記溝の前記スライダの進行方向に対して垂直である断面の面積が空気流入端から空気流出端まで一定であることを特徴とする請求項２に記載のグライドヘッド。
【請求項４】
記憶媒体の回転により発生する空気流で浮上するスライダを有し、前記記憶媒体と前記スライダとの接触を検出するグライドヘッドを備えた磁気記憶装置であって、
前記スライダは、後端がくさび状で、前記記憶媒体に対向する面の隅のうち角度が鈍角である隅で厚さが最大となる浮上用レールを備えることを特徴とする磁気記憶装置。
【請求項５】
記憶媒体の回転により発生する空気流で浮上するスライダを有し、前記記憶媒体と前記スライダとの接触を検出するグライドヘッドを備えた磁気記憶装置であって、
前記スライダが備える第１の浮上用レールおよび第２の浮上用レールは、前記スライダの中心に対して対称に配置され、先端間の距離と、後端間との距離が異なり、前記記憶媒体に対向する面の隅のうち最後端の隅の次に後端側となる隅で厚さが最大となることを特徴とする磁気記憶装置。
【発明の詳細な説明】
【技術分野】
【０００１】
この発明は、記憶媒体の回転により発生する空気流で浮上するスライダを有し、記憶媒体とスライダとの接触を検出するグライドヘッドおよび当該のグライドヘッドを備えた磁気記憶装置に関し、特に、パターンドメディアの媒体上の突起物を検出することが可能なグライドヘッドに関する。
【背景技術】
【０００２】
従来、磁気ディスク媒体の製造工程には、圧電素子を搭載したグライドヘッドと呼ばれる部品を用いて、媒体上に突起物があるか否かを検査する検査工程が含まれる。この検査工程では、媒体を回転させ、媒体上に生ずる空気流によってグライドヘッドのスライダを媒体上に浮上させる。スライダが媒体上の突起物に接触すると、圧電素子に電圧が発生するので、その電圧を検知することにより突起物の有無を検査することができる（特許文献１参照）。
【０００３】
また、磁気ディスク媒体には、ガラスや金属の上に磁性粒子を敷き詰める従来のものとは異なる、一つ一つの磁性粒子を独立に磁気ドットとして配置したパターンドメディアと呼ばれるものがあり、現在開発が行なわれている。このようなパターンドメディアの製造工程にも、同様に、上記したグライドヘッドを用いて媒体上に突起物があるか否かを検査する検査工程が含める必要がある。
【０００４】
【特許文献１】特開２００２−１９０１０９号公報
【発明の開示】
【発明が解決しようとする課題】
【０００５】
しかしながら、上述した従来の技術では、パターンドメディアの媒体上の突起物を誤検出するという問題があった。何故なら、パターンドメディアは、製造コストなどを考慮すると、媒体面の平坦化に限度があり、磁気ドットとそうでない部分とに段差が生ずる。このような段差部分にグライドヘッドのスライダが進行すると、スライダは、場合によっては振動して媒体に接触してしまうことがある。その際、圧電素子に電圧が発生するが、その電圧が、突起物に接触して発生したものなのか、振動によって媒体に接触して発生したものなのかは区別することができない。そこで、検査対象がパターンドメディアであっても、媒体上の突起物を正しく検出することが課題とされた。
【０００６】
この発明は、上述した従来技術の課題を解決するためになされたものであり、パターンドメディアの媒体上の突起物を検出することが可能なグライドヘッドおよび当該のグライドヘッドを備えた磁気記憶装置を提供することを目的とする。
【課題を解決するための手段】
【０００７】
上述した課題を解決し、目的を達成するため、本願の開示するグライドヘッドは、記憶媒体の回転により発生する空気流で浮上するスライダを有し、前記記憶媒体と前記スライダとの接触を検出するグライドヘッドであって、前記スライダは、後端がくさび状で、前記記憶媒体に対向する面の隅のうち角度が鈍角である隅で厚さが最大となる浮上用レールを備えることを要件とする。
【０００８】
また、本願の開示するグライドヘッドは、記憶媒体の回転により発生する空気流で浮上するスライダを有し、前記記憶媒体と前記スライダとの接触を検出するグライドヘッドであって、前記スライダが備える第１の浮上用レールおよび第２の浮上用レールは、前記スライダの中心に対して対称に配置され、先端間の距離と、後端間との距離が異なり、前記記憶媒体に対向する面の隅のうち最後端の隅の次に後端側となる隅で厚さが最大となることを要件とする。
【０００９】
また、本願の開示する装置は、記憶媒体の回転により発生する空気流で浮上するスライダを有し、前記記憶媒体と前記スライダとの接触を検出するグライドヘッドを備えた磁気記憶装置であって、前記スライダは、後端がくさび状で、前記記憶媒体に対向する面の隅のうち角度が鈍角である隅で厚さが最大となる浮上用レールを備えることを要件とする。
【００１０】
また、本願の開示する装置は、記憶媒体の回転により発生する空気流で浮上するスライダを有し、前記記憶媒体と前記スライダとの接触を検出するグライドヘッドを備えた磁気記憶装置であって、前記スライダが備える第１の浮上用レールおよび第２の浮上用レールは、前記スライダの中心に対して対称に配置され、先端間の距離と、後端間との距離が異なり、前記記憶媒体に対向する面の隅のうち最後端の隅の次に後端側となる隅で厚さが最大となることを要件とする。
【発明の効果】
【００１１】
本願の開示する装置の一つの態様によれば、パターンドメディアの媒体上の突起物を検出することができるという効果を奏する。
【発明を実施するための最良の形態】
【００１２】
以下に添付図面を参照して、本発明に係るグライドヘッドおよび磁気記憶装置の好適な実施の形態を詳細に説明する。
【実施例１】
【００１３】
まず、パターンドメディアの標準的な磁気パターンについて説明する。図１は、パターンドメディアの標準的な磁気パターンを示す図である。（Ａ）が、プリアンブルパターン、（Ｂ）が、データパターン、（Ｃ）が、サーボパターンである。プリアンブルパターンには、データパターンやサーボパターンに対して情報を読み書きする際に必要な、読み書きのタイミングや周波数を調整するための情報が記録される。データパターンには、任意のユーザデータが記録される。サーボパターンには、磁気ヘッドを位置決めするための情報が記録される。
【００１４】
グライドヘッドのスライダは、図１に示した各磁気パターンを有する媒体が回転した際に媒体上に生じる空気流によって浮力を得て浮上する。その際、スライダは、プリアンブルパターン、データパターン、サーボパターン上を図１の（Ａ）、（Ｂ）、（Ｃ）の矢印が示す方向に進行する。ここで、プリアンブルパターンやデータパターンには、スライダの進行方向となす角が垂直の溝１があり、サーボパターンには、スライダの進行方向となす角が３０度以内の溝２があり、溝の深さは、１ｎｍ以上となっている。製造コストなどを考慮すると、現在のところ、完全に溝を無くして媒体面を平坦化するのは困難である。
【００１５】
従来のグライドヘッドのスライダでは、このような溝１や溝２とスライダの空気流出端側で媒体に近接する部分とが平行またはほぼ平行となっていた。その場合、スライダは、パターン上で浮力を得て、溝で一気に浮力を失うことを交互に繰り返すことになり、浮上力が変動する状態となる。その結果、スライダは、振動して媒体と接触してしまう場合があった。
【００１６】
そこで、実施例１に係るグライドヘッドは、図２に示すようなスライダを有する。図２は、実施例１に係るグライドヘッドのスライダの３面図である。（Ａ）が、媒体と対向する側の平面図、（Ｂ）が側面図、（Ｃ）が正面図である。図２の（Ａ）に示すように、スライダ１０は、浮上用レール１１と、浮上用レール１２とを備える。スライダ１０は、浮上時、図２の矢印が示す方向の空気流を受ける。浮上用レール１１および浮上用レール１２の空気流出端側は、空気流に対して傾きをもつ。傾きの程度は、具体的には、３０〜６０度であることが望ましい。さらに、図２の（Ｂ）や（Ｃ）に示すように、浮上用レール１１および浮上用レール１２は、点１３や点１４で厚さが最大となるように、内側が突き出る構造をもつ。突き出す程度は、具体的には、図３に示すように、スライダ１０が空気流によって媒体上を浮上した際に、辺１５が媒体面１６と平行になる程度であることが望ましい。辺１５は、図２の（Ｂ）において、点１４と浮上用レール１２の後端を結ぶ線分である。
【００１７】
こうすることによって、浮上用レール１１や浮上用レール１２の空気流出端側が、図１に示した溝１や溝２に対して斜めに進行することになり、スライダ１０は、溝で一気に浮力を失うことはない。つまり、溝による影響が平均化され、浮上力の変動がなくなり、スライダ１０の振動が抑制される。その結果、スライダ１０が振動し、媒体と接触することで圧電素子に電圧が発生することはなく、電圧は、スライダ１０が突起物に接触した結果発生するのみとなるので、スライダ１０を有するグライドヘッドは、パターンドメディアの媒体上の突起物を検出することが可能となる。
【００１８】
なお、スライダが備える浮上用レールの後端は、くさび状であればよく、例えば、図４に示すようなスライダであってもよい。図４は、実施例１に係るグライドヘッドのスライダの変形例の３面図である。（Ａ）が、媒体と対向する側の平面図、（Ｂ）が側面図、（Ｃ）が正面図である。図４の（Ａ）に示すように、スライダ２０の浮上用レール２１や浮上用レール２２の空気流出端側は、空気流に対し、図２のスライダ１０の浮上用レール１１や浮上用レール１２の空気流出端側と比較して、逆向きの傾きをもつ。その場合、図４の（Ｂ）や（Ｃ）に示すように、浮上用レール２１および浮上用レール２２は、点２３や点２４で厚さが最大となるように、外側が突き出る構造をもつ。
【実施例２】
【００１９】
実施例２に係るグライドヘッドのスライダの構造を図５に示す。図５は、実施例２に係るグライドヘッドのスライダの３面図である。（Ａ）が、媒体と対向する側の平面図、（Ｂ）が側面図、（Ｃ）が正面図である。図５の（Ａ）に示すように、スライダ１００は、浮上用レール１１０と、浮上用レール１２０とを備える。スライダ１００は、浮上時、図５の矢印が示す方向へ空気流を受ける。浮上用レール１１０と浮上用レール１２０とは平行でなく、空気流出端側から空気流出端側に向かってレール間の距離を狭める構造とした。また、レール間の溝の深さとレール間の幅の積で求まるレール間の断面積が、空気流入端から空気流出端まで一定となっている。つまり、図５の（Ｃ）において、例えば、点１３０と、点１３１と、点１３２と、点１３３とで囲まれる空気の入口の面積と、点１４０と、点１４１と、点１４２と、点１４３とで囲まれる空気の出口の面積とは等しい。
【００２０】
こうすることによって、実施例１と同様、浮上用レール１１０および浮上用レール１２０の空気流出端側が、図１に示した溝１や溝２に対して斜めに進行することになり、スライダ１００は、溝で一気に浮力を失うことはない。つまり、溝による影響が平均化され、浮上力の変動がなくなり、スライダ１００の振動が抑制される。その結果、スライダ１００が振動して媒体と接触することで圧電素子に電圧が発生することはなく、電圧は、スライダ１００が突起物に接触した結果発生するのみとなるので、スライダ１００を有するグライドヘッドは、パターンドメディアの媒体上の突起物を検出することが可能となる。
【００２１】
また、空気流入端から空気流出端までレール間の断面積を一定にすることにより、レール間の溝を空気が安定して流れ、溝の深さを変えない構造のスライダと比較して、より振動を抑制することが可能となる。
【００２２】
なお、上記の実施例で説明したグライドヘッドは、磁気記憶装置に搭載される。図６は、実施例１や実施例２に係るグライドヘッドを備えた磁気記憶装置を示す図である。図６に示すように、磁気記憶装置２００は、ディスク２１０と、スピンドルモータ２２０と、ボイスコイルモータ２３０と、ヘッドスタックアッセンブリ２４０と、グライドヘッド２５０と、スライダ２６０とを備える。スライダ２６０は、実施例１や実施例２で説明したスライダ１０やスライダ１００に対応する。
【００２３】
ディスク２１０は、情報が記録される記憶媒体であり、スピンドルモータ２２０によって駆動され、回転する。ヘッドスタックアッセンブリ２４０は、ボイスコイルモータ２３０によって駆動され、先端が弧を描くように動く。ヘッドスタックアッセンブリ２４０の先端に配置される部品が、スライダ２６０を有するグライドヘッド２５０である。
【図面の簡単な説明】
【００２４】
【図１】パターンドメディアの標準的な磁気パターンを示す図である。
【図２】実施例１に係るグライドヘッドのスライダの３面図である。
【図３】スライダ１０の空気流出端側で媒体に近接する部分を説明するための図である。
【図４】実施例１に係るグライドヘッドのスライダの変形例の３面図である。
【図５】実施例２に係るグライドヘッドのスライダの３面図である。
【図６】実施例１や実施例２に係るグライドヘッドを備えた磁気記憶装置を示す図である。
【符号の説明】
【００２５】
１０、１００、２６０  スライダ
１１、１２、２１、２２、１１０、１２０  浮上用レール
１３、１４、２３、２４、１３０、１３１、１３２、１３３、１４０、１４１、１４２、１４３  点
１５  辺
１６  媒体面
２００  磁気記憶装置
２１０  ディスク
２２０  スピンドルモータ
２３０  ボイスコイルモータ
２４０  ヘッドスタックアッセンブリ
２５０  グライドヘッド
【図１】
2010055727.tif 000003
【図２】
2010055727.tif 000004
【図３】
2010055727.tif 000005
【図４】
2010055727.tif 000006
【図５】
2010055727.tif 000007
【図６】
2010055727.tif 000008